(57)【要約】【課題】アドレス認識の精度を向上させる。【解決手段】テレビ装置30は、所定のキーワードを含むウェブページをインターネット49上で検索し、抽出されたウェブページ及び当該ウェブページに関連する関連ウェブページについて、少なくともＵＲＬとウェブページウェブページ及び関連ウェブページに含まれる動画像の画像特徴量を収集し、収集したウェブページ群の少なくともＵＲＬと画像特徴量とを対応付けて記憶部36に記憶されたＵＲＬ辞書66に登録する。また、テレビ放送の動画像のうち、表示されたＵＲＬを認識対象とする動画像が指定されると、指定された動画像から画像特徴量を抽出し、動画像から抽出した画像特徴量をＵＲＬ辞書66に登録されている画像特徴量と照合し、指定された動画像から抽出した画像特徴量と類似している画像特徴量と対応付けてＵＲＬ辞書36に登録されているＵＲＬを、認識対象のＵＲＬとして認識する。【選択図】図２
2014074992.tif 000002
【特許請求の範囲】
【請求項１】
所定のキーワードを含むウェブページを検索し、検索で抽出された所定のキーワードを含むウェブページ及び当該ウェブページに関連する関連ウェブページについて、少なくともアドレスと前記ウェブページ及び前記関連ウェブページに含まれる動画像の画像特徴量を収集し、収集したウェブページ群の少なくともアドレスと画像特徴量とを対応付けて記憶部に記憶させる収集部と、
放送された動画像のうち、表示されたアドレスを認識対象とする動画像が指定され、指定された動画像から画像特徴量が抽出されると、指定された動画像から抽出された画像特徴量を前記記憶部に記憶されている画像特徴量と照合し、指定された動画像から抽出された画像特徴量と類似している画像特徴量と対応付けて前記記憶部に記憶されているアドレスを、認識対象のアドレスとして認識する認識部と、
を含む情報抽出装置。
【請求項２】
前記収集部は、前記関連ウェブページとして、前記所定のキーワードを含むウェブページへのリンクを含む親ウェブページ、及び、前記所定のキーワードを含むウェブページに含まれるリンクのリンク先である子ウェブページの少なくとも一方について、アドレス及び画像特徴量を収集する請求項１記載の情報抽出装置。
【請求項３】
放送された動画像のうち、表示されたアドレスを認識対象とする、指定された動画像を抽出する動画像抽出部と、
前記動画像抽出部によって抽出された動画像から前記画像特徴量を抽出する特徴量抽出部と、
前記認識部によって認識されたアドレスのウェブページにアクセスし、アクセスしたウェブページを表示部に表示させるページ表示部と、
を更に備えた請求項１又は請求項２記載の情報抽出装置。
【請求項４】
放送された動画像はテレビ放送の動画像であり、
表示されたアドレスを認識対象とする動画像は、前記テレビ放送に含まれるＣＦの動画像である請求項１〜請求項３の何れか１項記載の情報抽出装置。
【請求項５】
前記記憶部に対応付けて記憶されているアドレス及び画像特徴量に対応するＣＦの動画像がテレビ放送で放送されているか否かを確認する確認部と、
前記確認部によってテレビ放送で放送されていないことが確認されたＣＦの動画像に対応するアドレス及び画像特徴量を前記記憶部から削除する削除部と、
を更に含む請求項４記載の情報抽出装置。
【請求項６】
前記収集部は、収集したウェブページ群の少なくともアドレス及び画像特徴量と対応付けて前記記憶部に日時を記憶させ、
前記確認部は、前記記憶部に対応付けて記憶されているアドレス及び画像特徴量のうち、所定期間以上古い日時と対応付けて記憶されているアドレス及び画像特徴量に対応するＣＦの動画像がテレビ放送で放送されているか否かを確認し、前記ＣＦの動画像がテレビ放送で放送されていることを確認した場合は、前記ＣＦの動画像に対応するアドレス及び画像特徴量と対応付けて前記記憶部に記憶されている日時を現在の日時へ更新する請求項５記載の情報抽出装置。
【請求項７】
所定のキーワードを含むウェブページを検索し、検索で抽出された所定のキーワードを含むウェブページ及び当該ウェブページに関連する関連ウェブページについて、少なくともアドレスと前記ウェブページ及び前記関連ウェブページに含まれる動画像の画像特徴量を収集し、収集したウェブページ群の少なくともアドレスと画像特徴量とを対応付けて記憶部に記憶させ、
放送された動画像のうち、表示されたアドレスを認識対象とする動画像が指定され、指定された動画像から画像特徴量が抽出されると、指定された動画像から抽出された画像特徴量を前記記憶部に記憶されている画像特徴量と照合し、指定された動画像から抽出された画像特徴量と類似している画像特徴量と対応付けて前記記憶部に記憶されているアドレスを、認識対象のアドレスとして認識する
ことを含む情報抽出方法。
【請求項８】
コンピュータに、
所定のキーワードを含むウェブページを検索し、検索で抽出された所定のキーワードを含むウェブページ及び当該ウェブページに関連する関連ウェブページについて、少なくともアドレスと前記ウェブページ及び前記関連ウェブページに含まれる動画像の画像特徴量を収集し、収集したウェブページ群の少なくともアドレスと画像特徴量とを対応付けて記憶部に記憶させ、
放送された動画像のうち、表示されたアドレスを認識対象とする動画像が指定され、指定された動画像から画像特徴量が抽出されると、指定された動画像から抽出された画像特徴量を前記記憶部に記憶されている画像特徴量と照合し、指定された動画像から抽出された画像特徴量と類似している画像特徴量と対応付けて前記記憶部に記憶されているアドレスを、認識対象のアドレスとして認識する
ことを含む処理を行わせるための情報抽出プログラム。
【発明の詳細な説明】
【技術分野】
【０００１】
開示の技術は情報抽出装置、情報抽出方法及び情報抽出プログラムに関する。
【背景技術】
【０００２】
テレビ放送に挿入される広告であるＣＦ(Commercial Film)等には、広告対象等に興味を持った視聴者を対応するウェブページの閲覧に誘導するために、ウェブページのアドレス(例えばＵＲＬ(Uniform Resource Locator))を表す文字列が表示されることがある。視聴者は、ＣＦ等を視聴して更に多くの情報を得ることを所望した場合、通常はＵＲＬ等のアドレスを紙等に記録し、ＰＣ(Personal Computer)等上で起動したブラウザソフト等に手動でアドレスを入力し、表示されたウェブページを閲覧する。しかし、テレビ番組を見ているときにアドレスを記録しておいて後でＰＣ等に入力するのは面倒で、アドレスを記録し切れない可能性もあり、タイムリーに情報を得ることが難しいという課題がある。
【０００３】
上記に関連して、画像内から文字コード化可能な１以上の領域を抽出して文字コードに変換し、１以上の文字を含む文字列を示す文字コード情報を作成し、文字コード情報が示す文字列からＵＲＬ等の通信用文字列を抽出する第１の技術が提案されている。
【０００４】
また、入力された認識モードにより、読取対象の抽出方式を自動的に切り替えて文字列又は文字行又は単語を自動的に抽出し、表示部に抽出した画像内容を文字列又は文字行又は単語として表示する第２の技術が提案されている。第２の技術では、選択操作により、表示部に表示された特定の文字列又は文字行又は単語を認識する。
【０００５】
また、入力された文字画像を文字認識し、認識した文字列がＵＲＬのとき、当該ＵＲＬで示される接続先へインターネットを経由して接続し、その結果を得ることで、文字認識された結果が正しいかどうかを検証する第３の技術が提案されている。
【０００６】
更に、第４の技術では、利用者によって撮影された吊り広告の画像に対し、ＵＲＬが表示されていればＵＲＬの文字認識を行い、ＵＲＬが表示されていなければ会社名の画像照合を行うことでＵＲＬの特定を行うことが提案されている。また第４の技術では、利用者によって撮影された画像にＵＲＬが表示されていない場合に、会社の商標の画像を照合することでＵＲＬの特定を行うことも提案されている。
【先行技術文献】
【特許文献】
【０００７】
【特許文献１】特開２００３−１５２８２９号公報
【特許文献２】特許第４４３１３３５号公報
【特許文献３】特開２００２−２７９３５２号公報
【特許文献４】特開２００２−２７８８５７号公報
【発明の概要】
【発明が解決しようとする課題】
【０００８】
第１の技術及び第２の技術は、文字認識によりＵＲＬ等のアドレスを認識するものであり、処理精度が文字認識の精度に依存し、認識したアドレスに誤りが含まれている可能性がある。
【０００９】
また、第３の技術は、文字認識によりＵＲＬ等のアドレスを認識した後、認識したアドレスのウェブページにアクセスするものであり、第１の技術及び第２の技術よりは認識結果に誤りが含まれている確率を低減できる。しかし、第３の技術は、認識したアドレスに誤りが含まれていても、当該誤りを含むアドレスのウェブページが存在していた場合、ウェブページの検索で誤ったウェブページがヒットしてしまい、正しい認識結果が得られないことがある。
【００１０】
また、第４の技術では、アクセスされる可能性のあるウェブページのＵＲＬ等のアドレスと会社名又は会社の商標の画像とを対応付けて登録した辞書を作成しておく必要がある。但し、辞書の作成には、幾つかの方法が考えられる。
【００１１】
第１の作成方法は人手によって辞書を作成するものである。しかし、第１の作成方法は辞書の作成に多大な手間が掛かるという課題がある。また、第２の作成方法は企業から辞書に登録する情報を購入するものである。しかし、第２の作成方法はコストが嵩むという課題がある。
【００１２】
第３の作成方法は辞書に登録する情報をウェブクローラ(検索ロボット)によって収集するものである。しかし、第３の作成方法は収集される情報が膨大なものとなり、照合の精度低下や処理速度の低下を招くという課題がある。第４の作成方法は、辞書に登録する情報として、特定のキーワードを含むウェブページの情報のみをウェブクローラによって収集するものである。しかし、テレビ放送のＣＦに表示されるアドレスのウェブページが特定のキーワードを含むとは限らないので、第４の作成方法は、検索対象のウェブページのアドレスが辞書に登録されていないことが生じ得る。
【００１３】
このように、既存の辞書作成方法は何れの方法も課題があり、テレビ放送のＣＦに表示されるＵＲＬ等のアドレスの抽出に第４の技術を適用した場合、手間又はコストが掛かるか、アドレス認識の精度が低下するという課題があった。
【００１４】
開示の技術は、一つの側面として、アドレス認識の精度を向上させることが目的である。
【課題を解決するための手段】
【００１５】
開示の技術は、収集部及び認識部を備えている。収集部は所定のキーワードを含むウェブページを検索する。また収集部は、検索で抽出された所定のキーワードを含むウェブページ及び当該ウェブページに関連する関連ウェブページについて、少なくともアドレスと前記ウェブページ及び前記関連ウェブページに含まれる動画像の画像特徴量を収集する。また収集部は、収集したウェブページ群の少なくともアドレスと画像特徴量とを対応付けて記憶部に記憶させる。認識部は、放送された動画像のうち、表示されたアドレスを認識対象とする動画像が指定され、指定された動画像から画像特徴量が抽出されると、指定された動画像から抽出された画像特徴量を記憶部に記憶されている画像特徴量と照合する。また認識部は、指定された動画像から抽出された画像特徴量と類似している画像特徴量と対応付けて記憶部に登録されているアドレスを、認識対象のアドレスとして認識する。
【発明の効果】
【００１６】
開示の技術は、一つの側面として、アドレス認識の精度を向上させることができる、という効果を有する。
【図面の簡単な説明】
【００１７】
【図１】実施形態で説明した情報抽出装置の機能ブロック図である。
【図２】第１実施形態に係るテレビ装置の概略構成を示すブロック図である。
【図３】情報収集処理の一例を示すフローチャートである。
【図４】ウェブページの一例を示すイメージ図である。
【図５】動画像の画像特徴量の一例を示すイメージ図である。
【図６】辞書更新処理の一例を示すフローチャートである。
【図７】ＵＲＬ認識処理の一例を示すフローチャートである。
【図８】第２実施形態に係るテレビ装置及びサーバの概略構成を示すブロック図である。
【図９】第２実施形態におけるＵＲＬ認識処理の流れを示すシーケンス図である。
【発明を実施するための形態】
【００１８】
以下、図面を参照して開示の技術の実施形態の一例を詳細に説明する。
【００１９】
〔第１実施形態〕
図１には本実施形態に係る情報抽出装置１０が示されている。情報抽出装置１０は、テレビ放送を視聴している利用者により、テレビ放送に挿入されたＣＦで表示されていたアドレス(本実施形態ではＵＲＬ)の取得が指示されると、予め登録していたＵＲＬ辞書に基づき前記ＵＲＬの抽出(認識)を行う装置である。また、情報抽出装置１０はＵＲＬ辞書６６(図２参照)の生成も行う。ＵＲＬ辞書６６は、インターネット上で公開されているウェブページのうち、所定のキーワードを含むウェブページ及び関連するウェブページを抽出し、抽出したウェブページのＵＲＬと、ウェブぺージに含まれる動画像の特徴量を対応付けて登録したものである。
【００２０】
情報抽出装置１０は、情報収集部１２、確認部１４、削除部１６、記憶部１８、動画像抽出部２０、特徴量抽出部２２、認識部２４及びページ表示部２６を備えている。
【００２１】
情報収集部１２はＵＲＬ辞書６６の生成を行う。すなわち、情報収集部１２は、インターネット上で公開されているウェブページの中から、所定のキーワードを含むウェブページを検索し、検索で抽出された所定のキーワードを含むウェブページ及び当該ウェブページに関連する関連ウェブページを抽出する。所定のキーワードを含むウェブページは、テレビ放送に挿入されＵＲＬが表示されるＣＦに対応すると推定されるウェブページであり、所定のキーワードの一例としては「ＣＦ」や「ＣＭ」、「キャンペーン」、「懸賞」等が挙げられる。また、関連ウェブページの一例としては、所定のキーワードを含むウェブページへのリンクを含む親ウェブページや、所定のキーワードを含むウェブページに含まれるリンクのリンク先である子ウェブページが挙げられる。
【００２２】
また、情報収集部１２は、抽出したウェブページ群の各々のＵＲＬを取得すると共に、抽出したウェブページ群に含まれる動画像の特徴量を抽出する。そして、取得したウェブページ群のＵＲＬと抽出した動画像の特徴量を、日時と対応付けてＵＲＬ辞書６６に登録する。なお、ＵＲＬ辞書６６は記憶部１８に記憶される。
【００２３】
確認部１４は、ＵＲＬ辞書６６に登録された情報に対応するＣＦが、現在でもテレビ放送に挿入されて放送されているかを確認する。一般にＣＦは放送期間が予め定められており、予め定められた放送期間が経過するとＣＦの放送は停止される。確認部１４は、ＵＲＬ辞書６６に登録されている情報のうち、一定期間以上古い情報について、対応するＣＦが放送されているか否かを判定する。そして、対応するＣＦが放送されている情報については、ＵＲＬ辞書６６に登録されている日時を更新する。削除部１６は、確認部１４により、ＵＲＬ辞書６６に登録されている情報のうち、一定期間以上古い情報について、対応するＣＦが放送されていないと判定された場合に、対応する情報をＵＲＬ辞書６６から削除する。
【００２４】
動画像抽出部２０は、テレビ放送を視聴している利用者により、テレビ放送に挿入されたＣＦで表示されていたＵＲＬの取得が指示されると、テレビ放送の動画像からＵＲＬ抽出対象のＣＦの動画像を抽出する。特徴量抽出部２２は、動画像抽出部２０によって抽出されたＣＦの動画像の特徴量を抽出する。
【００２５】
認識部２４は、特徴量抽出部２２によって抽出されたＣＦの動画像の特徴量を、ＵＲＬ辞書６６に登録されている動画像の特徴量と照合することで、ＵＲＬ辞書６６に登録されている情報のうち、動画像の特徴量が抽出されたＣＦに対応する情報を認識する。ページ表示部２６は、認識部２４によって認識された情報に含まれるＵＲＬのウェブページにアクセスし、アクセスしたウェブページをディスプレイに表示させる。
【００２６】
なお、情報収集部１２は開示の技術における収集部の一例であり、認識部２４は開示の技術における認識部の一例である。また、確認部１４は開示の技術における確認部の一例であり、削除部１６は開示の技術における削除部の一例である。また、動画像抽出部２０は開示の技術における動画像抽出部の一例であり、特徴量抽出部２２は開示の技術における特徴量抽出部の一例であり、ページ表示部２６は開示の技術におけるページ表示部の一例である。
【００２７】
情報抽出装置１０は、例えば図２に示すテレビ装置３０で実現することができる。テレビ装置３０はＣＰＵ３２、メモリ３４、不揮発性の記憶部３６、ディスプレイ３８、チューナー４０、リモコン受信部４２及びネットワーク制御部４４を備えている。ＣＰＵ３２、メモリ３４、記憶部３６、ディスプレイ３８、チューナー４０、リモコン受信部４２及びネットワーク制御部４４はバス４６を介して互いに接続されている。チューナー４０にはアンテナ４７が接続されている。また、リモコン受信部４２はリモコン４８から送信された信号(例えば赤外線信号)を受信する。なお、リモコン４８は、ＵＲＬの取得(当該ＵＲＬのウェブページのアクセス)を指示するためのボタンを含む、複数のボタンが設けられている。また、ネットワーク制御部４４はインターネット４９に接続されている。
【００２８】
また、記憶部３６はＨＤＤ(Hard Disk Drive)やフラッシュメモリ等によって実現できる。記録媒体としての記憶部３６には、テレビ装置３０を情報抽出装置１０として機能させるためのＵＲＬ抽出プログラム５０と、ＵＲＬ辞書６６が記憶されている。ＣＰＵ３２は、ＵＲＬ抽出プログラム５０を記憶部３６から読み出してメモリ３４に展開し、ＵＲＬ抽出プログラム５０が有するプロセスを順次実行する。
【００２９】
ＵＲＬ抽出プログラム５０は、情報収集プロセス５２、確認プロセス５４、削除プロセス５６、動画像抽出プロセス５８、特徴量抽出プロセス６０、認識プロセス６２及びページ表示プロセス６４を有する。
【００３０】
ＣＰＵ３２は、情報収集プロセス５２を実行することで、図１に示す情報収集部１２として動作する。またＣＰＵ３２は、確認プロセス５４を実行することで、図１に示す確認部１４として動作する。またＣＰＵ３２は、削除プロセス５６を実行することで、図１に示す削除部１６として動作する。またＣＰＵ３２は、動画像抽出プロセス５８を実行することで、図１に示す動画像抽出部２０として動作する。またＣＰＵ３２は、特徴量抽出プロセス６０を実行することで、図１に示す特徴量抽出部２２として動作する。またＣＰＵ３２は、認識プロセス６２を実行することで、図１に示す認識部２４として動作する。またＣＰＵ３２は、ページ表示プロセス６４を実行することで、図１に示すページ表示部２６として動作する。
【００３１】
これにより、ＵＲＬ抽出プログラム５０を実行したテレビ装置３０が、情報抽出装置１０として機能することになる。なお、ＵＲＬ抽出プログラム５０は開示の技術における情報抽出プログラムの一例である。
【００３２】
なお、情報抽出装置１０は、例えば半導体集積回路、より詳しくはＡＳＩＣ(Application Specific Integrated Circuit)等で実現することも可能である。
【００３３】
次に本第１実施形態の作用として、まず、情報抽出装置１０(テレビ装置３０)で定期的に実行される情報収集処理について、図３を参照して説明する。情報収集処理のステップ１００において、情報収集部１２は、所定のキーワードを含みＵＲＬ辞書６６に未登録のウェブページがインターネット４９上に存在しているか否かを検索することで、該当するウェブページが存在しているか否かを判定する。ステップ１００の判定が否定された場合は情報収集処理を終了する。
【００３４】
一方、ステップ１００で該当するウェブページが発見された場合は、ステップ１００の判定が肯定されてステップ１０２へ移行する。ステップ１０２において、情報収集部１２は、所定のキーワードを含みＵＲＬ辞書６６に未登録のウェブページの情報をインターネット４９から取得する。本実施形態では、所定のキーワードとして、例えば「ＣＦ」や「ＣＭ」「キャンペーン」「懸賞」等を用いており、ステップ１０２で情報が取得されるウェブページは、テレビ放送に挿入されＵＲＬが表示されるＣＦに対応すると推定されるウェブページである。
【００３５】
ステップ１０２で取得され、特定のＣＦに対応するウェブページの一例を図４(Ａ)に示す。図４(Ａ)に示すウェブページ７０は、所定のキーワードの１つである「キャンペーン」を含む文字列７２と、キャンペーンの内容を表す文字列７４と、テレビ放送に挿入されたＣＦの動画像の再生画面７６と、を含んでいる。
【００３６】
但し、特定のＣＦに対応するウェブページは、図４(Ａ)に示すように、各種の文字列やＣＦの動画像の再生画面が単一のウェブページに収められているとは限らない。特定のＣＦに対応するウェブページの他の例を図４(Ｂ)に示す。図４(Ｂ)に示すウェブページ７８〜８２は、「キャンペーン」を含む文字列７２と、キャンペーンの内容を表す文字列７４と、がウェブページ８０に含まれている一方、ＣＦの動画像の再生画面７６はウェブページ８２に含まれている。また、ウェブページ７８はウェブページ８０へのリンク８４を含み、ウェブページ８０はウェブページ８２へのリンク８６を含んでおり、ウェブページ７８がウェブページ８０の親ウェブページ、ウェブページ８２がウェブページ８０の子ウェブページとなっている。
【００３７】
図４(Ｂ)の例のように、各種の情報が複数のウェブページに分散して収められている場合を考慮し、次のステップ１０４において、情報収集部１２は、ステップ１０２で取得したウェブページに関連する関連ウェブページ(例えば親及び子のウェブページ)を取得する。関連ウェブページを取得することで、所定のキーワードを含むウェブページとＣＦの動画像を含むウェブページが相違する場合にも、所定のキーワードに基づく検索により、ＣＦの動画像を含むウェブページも取得することが可能になる。
【００３８】
次のステップ１０６において、情報収集部１２は、ステップ１０２,１０４で取得したウェブページ群に含まれる動画像を抽出する。次のステップ１０８において、情報収集部１２は、ステップ１０６で抽出した動画像から特徴量を抽出する。本実施形態では、例として図５に示すように、動画像に付加されているテロップを既存のテロップ抽出技術により抽出する。そして、動画像中のテロップ表示領域の表示期間(表示開始及び表示終了時刻)と、テロップ表示領域の範囲(座標値)及びテロップ表示領域の各画素の値を動画像の特徴量として抽出する。
【００３９】
次のステップ１１０において、情報収集部１２は、ステップ１０２,１０４で取得したウェブページ群のＵＲＬ、ステップ１０８で抽出した動画像の特徴量及び現在の日時をＵＲＬ辞書６６に対応付けて登録する。これにより、例として次の表１に示すような情報がＵＲＬ辞書６６に登録される。
【００４０】
【表１】
2014074992.tif 000003
【００４１】
なお、表１に示す動画像の特徴量のうち、最初の情報(例えば5sec等)は、動画像の先頭からテロップ表示領域の表示が開始されるまでの時間(テロップ表示開始時刻)を表している。また、表１に示す動画像の特徴量のうち、２番目の情報(例えば(300,450)-(400,480)等)は、動画像中のテロップ表示領域の範囲(左上隅の点及び右下隅の点の座標値)を表している。また、表１に示す動画像の特徴量のうち、３番目の情報(例えば(20,4,50,…,49)等)は、テロップ表示領域内の各画素の画素値を表している。
【００４２】
また、表１ではＵＲＬ文字列と動画像の特徴量を１対１で対応付けてＵＲＬ辞書６６に登録しているが、これに限定されるものではない。例えば前出の図４(Ｂ)の例のように、各種の情報が複数のウェブページに分散して収められている場合、動画像の特徴量を、所定のキーワードを含むウェブページ及び当該ウェブページに関連する関連ウェブページを含む複数のＵＲＬ文字列と各々対応付けてもよい。また、所定のキーワードを含むウェブページ及び関連ウェブページを含むウェブページ群に動画像が複数存在する場合、複数の動画像の特徴量を複数のＵＲＬ文字列と各々対応付けてもよい。
【００４３】
続いて、情報抽出装置１０(テレビ装置３０)で情報収集処理(図３)と同じく定期的に実行される辞書更新処理について、図６を参照して説明する。辞書更新処理のステップ１２０において、確認部１４は、登録日付が現在の日付よりも一定期間以上古い情報がＵＲＬ辞書６６に登録されているか否か判定する。ステップ１２０の判定が否定された場合は辞書更新処理を終了する。
【００４４】
一方、ステップ１２０の判定が肯定された場合はステップ１２２へ移行する。ステップ１２２において、確認部１４は、チューナー４０によってテレビ放送を一定期間(例えば数時間〜数日)受信させ、受信させたテレビ放送の動画像を記憶部３６に記憶させる。次のステップ１２４において、確認部１４は、チューナー４０によって受信されて記憶部３６に記憶されたテレビ放送の動画像から、既存のＣＦ抽出技術によりＣＦに相当する区間(ＣＦ区間)を各々抽出する。
【００４５】
ステップ１２６において、確認部１４は、ステップ１２４で抽出した個々のＣＦ区間から特徴量を各々抽出する。ステップ１２６で抽出する特徴量としては、前述の情報収集処理(図３)で動画像から抽出した特徴量と同様の特徴量、すなわちテロップ表示開始時刻やテロップ表示領域の範囲、テロップ表示領域内の各画素の画素値等を適用することができる。
【００４６】
次のステップ１２８において、確認部１４は、ＵＲＬ辞書６６に登録されている一定期間以上古い情報を１つ取り出す。またステップ１３０において、確認部１４は、ステップ１２８で取り出した情報に含まれる特徴量を、個々のＣＦ区間から抽出した特徴量と各々照合する。なお、特徴量の照合は、例えばテロップ表示開始時刻やテロップ表示領域の範囲、テロップ表示領域内の各画素の画素値等について、類似度を評価する評価値を各々演算し、演算した評価値から総合評価値(例えば重み付き加算値)を算出することで行うことができる。次のステップ１３２において、確認部１４は、先のステップ１２４で抽出した個々のＣＦ区間の中に、ステップ１２８で取り出した情報に含まれる特徴量と、特徴量が合致する(例えば前述の総合評価値が閾値以上になった)ＣＦ区間が存在しているか否か判定する。
【００４７】
ステップ１３２の判定が肯定された場合、ステップ１２８で取り出した情報に対応するＣＦは、テレビ放送に挿入されて放送されている状態が継続していると判断できる。このため、ステップ１３２の判定が肯定された場合はステップ１３４へ移行し、ステップ１３４において、確認部１４は、ステップ１２８で取り出した情報に含まれる日付を現在の日付へ更新し、ＵＲＬ辞書６６に書き戻す。
【００４８】
また、ステップ１３２の判定が否定された場合は、ステップ１２８で取り出した情報に対応するＣＦは、放送が終了した可能性が高いと判断できる。このため、ステップ１３２の判定が否定された場合はステップ１３６へ移行し、ステップ１３６において、削除部１６は、ステップ１２８で取り出した情報をＵＲＬ辞書６６から削除する。これにより、放送が終了したＣＦの情報がＵＲＬ辞書６６に残存していることで、ＵＲＬ辞書６６が無駄に肥大化することを抑制することができる。
【００４９】
ステップ１３４又はステップ１３６の処理を行うとステップ１３８へ移行し、ステップ１３８において、確認部１４は、ＵＲＬ辞書６６に登録されている一定期間以上古い情報をＵＲＬ辞書６６から全て取り出したか否か判定する。ステップ１３８の判定が否定された場合はステップ１２８に戻り、ステップ１３８の判定が肯定される迄、ステップ１２８〜ステップ１３８を繰り返す。
【００５０】
これにより、ＵＲＬ辞書６６に登録されている一定期間以上古い情報について、対応するＣＦが放送継続中か否かが各々確認され、確認結果に応じて日付の更新又はＵＲＬ辞書６６からの削除が各々行われる。そして、ステップ１３８の判定が肯定されると辞書更新処理を終了する。
【００５１】
次に、情報抽出装置１０(テレビ装置３０)でテレビ放送の受信が開始されると情報抽出装置１０(テレビ装置３０)で実行されるＵＲＬ認識処理について、図７を参照して説明する。ＵＲＬ認識処理のステップ１４０において、動画像抽出部２０は、テレビ放送の受信停止が指示されたか否か判定する。ステップ１４０の判定が肯定された場合はＵＲＬ認識処理を終了する。
【００５２】
一方、ステップ１４０の判定が否定された場合はステップ１４２へ移行し、ステップ１４２において、動画像抽出部２０は、テレビ放送を受信する。またステップ１４４において、動画像抽出部２０は、受信したテレビ放送の動画像を記憶部１８に一定時間分(例えば数十秒間〜数分間程度)保持させる。次のステップ１４６において、動画像抽出部２０は、リモコン受信部４２で所定の信号が受信されたか否かに基づき、リモコン４８のうちＵＲＬの取得(当該ＵＲＬのウェブページのアクセス)を指示するためのボタンが押下されたか否か判定する。ステップ１４６の判定が否定された場合はステップ１４０に戻り、ステップ１４０の判定が否定され、かつステップ１４６の判定が否定されている間、ステップ１４０〜ステップ１４６を繰り返す。従って、記憶部１８は、テレビ放送の一定時間分の最新の動画像を常に保持している状態で維持される。
【００５３】
ところで、テレビ装置３０によりテレビ放送を視聴している利用者は、テレビ放送中のＣＦにより当該ＣＦの広告対象に興味を持ち、前記ＣＦにウェブページのＵＲＬ等が表示されていた場合、リモコン４８のうちＵＲＬの取得を指示するためのボタンを押下する。なお、上記操作はＣＦの広告対象に興味を持った場合に限らず、広告対象に関して実施されているキャンペーンに応募する等の場合にも上記操作が行われることがある。本実施形態では、利用者によって上記操作が行われると、リモコン４８からの所定の信号がリモコン受信部４２で受信されることで、ステップ１４６の判定が肯定されてステップ１４８へ移行する。
【００５４】
ステップ１４８において、動画像抽出部２０は、記憶部１８に保持されているテレビ放送の一定時間分の最新の動画像から、既存のＣＦ抽出技術によりＣＦ区間を抽出する。次のステップ１５０において、特徴量抽出部２２は、抽出したＣＦ区間から特徴量を抽出する。なお、ステップ１５０で抽出する特徴量としても、前述の情報収集処理(図３)で動画像から抽出した特徴量と同様の特徴量、すなわちテロップ表示開始時刻やテロップ表示領域の範囲、テロップ表示領域内の各画素の画素値等を適用することができる。
【００５５】
またステップ１５２において、認識部２４は、ＣＦ区間から抽出した特徴量を、ＵＲＬ辞書６６に登録されている各情報の特徴量と各々照合する。なお、ステップ１５２における特徴量の照合についても、例えばテロップ表示開始時刻やテロップ表示領域の範囲、テロップ表示領域内の各画素の画素値等について類似度を評価する評価値を各々演算し、演算した評価値から総合評価値を算出することで実現できる。ステップ１５４において、認識部２４は、ＵＲＬ辞書６６に登録されている情報の中から、特徴量がＣＦ区間から抽出した特徴量と最も類似している(例えば総合評価値が最大の)情報を選択する。なお、最も類似している情報を選択することに代えて、例えば類似度の総合評価値が所定値以上の情報、或いは類似度の総合評価値の降順に所定個の情報を選択肢として一覧表示し、選択肢の中から利用者に選択させるようにしてもよい。
【００５６】
ステップ１５６において、ページ表示部２６は、ステップ１５４で選択した情報に含まれるＵＲＬ文字列をＵＲＬ辞書６６から取得し、取得したＵＲＬ文字列をＵＲＬとするウェブページにインターネット４９経由でアクセスする。なお、動画像の特徴量が複数のＵＲＬ文字列と各々対応付けてＵＲＬ辞書６６に登録されている場合は、複数のＵＲＬ文字列のうちの何れか１つを取得することができる。取得するＵＲＬ文字列は、所定のキーワードを含むウェブページのＵＲＬでもよいし、所定のキーワードを含むウェブページの親のウェブページのＵＲＬでもよいし、所定のキーワードを含むウェブページの子のウェブページでもよい。また、各ウェブページのＵＲＬを一覧表示させ、アクセス対象のウェブページのＵＲＬを利用者に選択させるようにしてもよいし、各ウェブページに各々アクセスしてディスプレイ３８に各ウェブページを各々表示させるようにしてもよい。
【００５７】
次のステップ１５８において、ページ表示部２６は、ステップ１５６でインターネット４９経由でアクセスしたウェブページをディスプレイ３８に表示する。なお、ディスプレイ３８へのウェブページの表示に際し、ページ表示部２６は、例えばディスプレイ３８の表示面上のテレビ放送表示領域を小領域化し、テレビ放送表示領域の小領域化に伴って生じた余白領域にウェブページを表示する処理を行うことができる。これにより、リモコン４８のうちＵＲＬの取得を指示するためのボタンを押下する操作を行った利用者は、興味を持った広告対象について更なる情報を取得したり、広告対象に関して実施されているキャンペーンに応募することが可能となる。
【００５８】
ステップ１５８の処理を行うとステップ１４０に戻り、ステップ１４０の判定が否定され、かつステップ１４６の判定が否定されている間、ステップ１４０〜ステップ１４６を繰り返す。そして、利用者により、リモコン４８のうちＵＲＬの取得を指示するためのボタンを押下する操作が再度行われた場合には、ステップ１４８〜ステップ１５８の処理が再度行われる。
【００５９】
このように、本第１実施形態では、所定のキーワードを含むウェブページが存在しているかをインターネット４９上で探索し、ＵＲＬをＵＲＬ辞書６６に登録しているので、ＵＲＬに誤りが含まれている可能性を排除することができる。また、本第１実施形態では、所定のキーワードを含むウェブページに加え、所定のキーワードを含むウェブページの親及び子のウェブページの情報も収集してＵＲＬ辞書６６に登録している。このため、テレビ放送のＣＦに表示されるＵＲＬがＵＲＬ辞書６６に登録されている確率が向上し、利用者がリモコン４８を操作してＵＲＬの取得(ウェブページのアクセス)を指示したＵＲＬが正しく取得され、適正なウェブページが表示される確率が向上する。
【００６０】
〔第２実施形態〕
次に開示の技術の第２実施形態について説明する。なお、第１実施形態と同一の部分には同一の符号を付し、説明を省略する。図８には本第２実施形態に係る情報抽出システム１７０が示されている。情報抽出システム１７０は、インターネット４９を介して接続されたテレビ装置１７２とサーバ１７４を含んでいる。
【００６１】
本第２実施形態に係るテレビ装置１７２は、記憶部３６にＵＲＬ抽出プログラム５０Ａが記憶されており、記憶部３６にＵＲＬ辞書６６が記憶されていないこと以外は、第１実施形態で説明したテレビ装置３０と同一の構成である。また、本第２実施形態に係るＵＲＬ抽出プログラム５０Ａは、情報抽出プロセス５２、確認プロセス５４、削除プロセス５６及び認識プロセス６２を有していない点以外は、第１実施形態で説明したＵＲＬ抽出プログラム５０と同一の構成である。
【００６２】
サーバ１７４はＣＰＵ１７６、メモリ１７８、不揮発性の記憶部１８８、チューナー１８０及びネットワーク制御部１８４を備えている。ＣＰＵ１７６、メモリ１７８、記憶部１８８、チューナー１８０及びネットワーク制御部１８４はバス１８６を介して互いに接続されている。チューナー１８０にはアンテナ１８２が接続されている。また、ネットワーク制御部１８４はインターネット４９に接続されている。
【００６３】
また、記憶部１８８はＨＤＤ(Hard Disk Drive)やフラッシュメモリ等によって実現できる。記録媒体としての記憶部１８８には辞書操作プログラム１９０とＵＲＬ辞書６６が記憶されている。ＣＰＵ１７６は、辞書操作プログラム１９０を記憶部１８８から読み出してメモリ１７８に展開し、辞書操作プログラム１９０が有するプロセスを順次実行する。辞書操作プログラム１９０は、情報収集プロセス５２、確認プロセス５４、削除プロセス５６及び認識プロセス６２を有する。
【００６４】
ＣＰＵ１７６は、情報収集プロセス５２を実行することで、図１に示す情報収集部１２として動作する。またＣＰＵ１７６は、確認プロセス５４を実行することで、図１に示す確認部１４として動作する。またＣＰＵ１７６は、削除プロセス５６を実行することで、図１に示す削除部１６として動作する。またＣＰＵ１７６は、認識プロセス６２を実行することで、図１に示す認識部２４として動作する。これにより、辞書操作プログラム１９０を実行したサーバ１７４が、テレビ装置１７２と共に、図１に示す情報抽出装置１０として機能することになる。なお、辞書操作プログラム１９０は開示の技術における情報抽出プログラムの一例である。
【００６５】
次に本第２実施形態の作用を説明する。本第２実施形態において、サーバ１７４は、図１に示す情報収集部１２、確認部１４及び削除部１６として各々動作する。従って、図３に示す情報収集処理及び図６に示す辞書更新処理がサーバ１７４によって行われ、これらの処理によってサーバ１７４の記憶部１８８にＵＲＬ辞書６６が記憶されると共に、当該ＵＲＬ辞書６６は適宜更新される。
【００６６】
続いて図９を参照し、本第２実施形態におけるＵＲＬ認識処理の流れを説明する。図９に示すシーケンスは、テレビ装置１７２によりテレビ放送を視聴している利用者が、リモコン４８のうちＵＲＬの取得を指示するためのボタンを押下する操作を行う(図９に示す「リモコン操作」)ことで開始される。
【００６７】
テレビ装置１７２の動画像抽出部２０は、利用者によって上記操作が行われると、第１実施形態と同様に、記憶部１８に保持されているテレビ放送の一定時間分の最新の動画像から、既存のＣＦ抽出技術によりＣＦ区間を抽出する(図９のステップ２００)。次に、テレビ装置１７２の特徴量抽出部２２は、動画像抽出部２０によって抽出されたＣＦ区間から特徴量を抽出する(図９のステップ２０２)。また、テレビ装置１７２の特徴量抽出部２２は、ＣＦ区間から抽出した特徴量をサーバ１７４へ通知する(図９のステップ２０４)。
【００６８】
ＣＦ区間から抽出した特徴量がテレビ装置１７２より通知されたサーバ１７４の認識部２４は、ＣＦ区間から抽出した特徴量を、ＵＲＬ辞書６６に登録されている各情報の特徴量と各々照合する(図９のステップ２０６)。次に、サーバ１７４の認識部２４は、ＵＲＬ辞書６６に登録されている情報の中から、特徴量がＣＦ区間から抽出した特徴量と最も類似している(例えば総合評価値が最大の)情報を選択する(図９のステップ２０８)。
【００６９】
また、サーバ１７４の認識部２４は、ステップ２０８で選択した情報に含まれるＵＲＬ文字列をＵＲＬ辞書６６から取得し、取得したＵＲＬ文字列をＵＲＬとするウェブページにインターネット４９経由でアクセスする(図９のステップ２１０)。そしてサーバ１７４の認識部２４は、ウェブページにアクセスすることで取得した前記ウェブページの情報をテレビ装置１７２へ送信する(図９のステップ２１２)。
【００７０】
ウェブページの情報をサーバ１７４から受信したテレビ装置１７２のページ表示部２６は、受信した情報が表すウェブページをディスプレイ３８に表示する(図９のステップ２１４)。これにより、リモコン４８のうちＵＲＬの取得を指示するためのボタンを押下する操作を行った利用者は、興味を持った広告対象について更なる情報を取得したり、広告対象に関して実施されているキャンペーンに応募することが可能となる。
【００７１】
このように、本第２実施形態では、図１に示す情報抽出装置１０としての機能が、テレビ装置１７２とサーバ１７４とが協働することで実現される。これにより、テレビ装置１７２で情報収集処理及び辞書更新処理を行う必要が無くなると共に、ＵＲＬ辞書６６を記憶したりＵＲＬ辞書６６に対して検索処理を行う必要もなくなるので、テレビ装置１７２を安価に構成することが可能になる。
【００７２】
なお、第２実施形態では、ＵＲＬ辞書６６がサーバ１７４の記憶部１８８に記憶され、サーバ１７４が認識部２４としても機能する態様を説明したが、これに限定されるものではない。例えばサーバ１７４ではＵＲＬ辞書６６の生成及び更新を行い、最新のＵＲＬ辞書６６がサーバ１７４からテレビ装置１７２へ転送され、テレビ装置１７２の記憶部３６にも記憶されるようにしてもよい。この場合はテレビ装置１７２が認識部２４としても機能することになる。
【００７３】
また、上記ではＣＦの動画像の特徴量をＵＲＬ辞書６６に登録された動画像の特徴量と照合することで、ＵＲＬ辞書６６に登録された情報のうちＣＦに対応する情報を選択する態様を説明したが、これに限定されるものではない。例えば、動画像の特徴量に加えて、動画像のテロップ表示期間における動画像中のテロップ表示領域に対して文字認識を行った結果を併用して、ＵＲＬ辞書６６に登録された情報のうちＣＦに対応する情報を選択するようにしてもよい。
【００７４】
また、上記では、開示の技術に係る情報抽出装置としての機能の一部又は全てをテレビ装置３０,１７２に組み込んだ態様を説明したが、これに限定されるものではなく、情報抽出装置として機能する装置をテレビ装置３０,１７２と別に設けてもよい。
【００７５】
更に、上記ではテレビ放送に挿入されたＣＦの動画像に表示されたＵＲＬを認識する態様を説明したが、開示の技術は、ＣＦ以外の動画像に表示されたＵＲＬを認識する場合にも適用可能である。また、上記では開示の技術におけるウェブページのアドレスとしてＵＲＬを説明したが、これに限定されるものではなく、例えば短縮ＵＲＬやその他のＵＲＩ(Uniform Resource Identifier)等であってもよい。
【００７６】
また、第１実施形態では開示の技術に係る情報抽出プログラムの一例であるＵＲＬ抽出プログラム５０がテレビ装置３０の記憶部３６に予め記憶されている態様を説明した。また、第２実施形態では開示の技術に係る情報抽出プログラムの一例である辞書操作プログラム１９０がサーバ１７４の記憶部１８８に予め記憶されている態様を説明した。しかし、これに限定されるものではなく、開示の技術に係る情報抽出プログラムは、ＣＤ−ＲＯＭやＤＶＤ−ＲＯＭ等の記録媒体に記録されている形態で提供することも可能である。
【００７７】
本明細書に記載された全ての文献、特許出願及び技術規格は、個々の文献、特許出願及び技術規格が参照により取り込まれることが具体的かつ個々に記された場合と同程度に、本明細書中に参照により取り込まれる。
【００７８】
以上の実施形態に関し、更に以下の付記を開示する。
【００７９】
（付記１）
所定のキーワードを含むウェブページを検索し、検索で抽出された所定のキーワードを含むウェブページ及び当該ウェブページに関連する関連ウェブページについて、少なくともアドレスと前記ウェブページ及び前記関連ウェブページに含まれる動画像の画像特徴量を収集し、収集したウェブページ群の少なくともアドレスと画像特徴量とを対応付けて記憶部に記憶させる収集部と、
放送された動画像のうち、表示されたアドレスを認識対象とする動画像が指定され、指定された動画像から画像特徴量が抽出されると、指定された動画像から抽出された画像特徴量を前記記憶部に記憶されている画像特徴量と照合し、指定された動画像から抽出された画像特徴量と類似している画像特徴量と対応付けて前記記憶部に記憶されているアドレスを、認識対象のアドレスとして認識する認識部と、
を含む情報抽出装置。
【００８０】
（付記２）
前記収集部は、前記関連ウェブページとして、前記所定のキーワードを含むウェブページへのリンクを含む親ウェブページ、及び、前記所定のキーワードを含むウェブページに含まれるリンクのリンク先である子ウェブページの少なくとも一方について、アドレス及び画像特徴量を収集する付記１記載の情報抽出装置。
【００８１】
（付記３）
放送された動画像のうち、表示されたアドレスを認識対象とする、指定された動画像を抽出する動画像抽出部と、
前記動画像抽出部によって抽出された動画像から前記画像特徴量を抽出する特徴量抽出部と、
前記認識部によって認識されたアドレスのウェブページにアクセスし、アクセスしたウェブページを表示部に表示させるページ表示部と、
を更に備えた付記１又は付記２記載の情報抽出装置。
【００８２】
（付記４）
放送された動画像はテレビ放送の動画像であり、
表示されたアドレスを認識対象とする動画像は、前記テレビ放送に含まれるＣＦの動画像である付記１〜付記３の何れか１項記載の情報抽出装置。
【００８３】
（付記５）
前記記憶部に対応付けて記憶されているアドレス及び画像特徴量に対応するＣＦの動画像がテレビ放送で放送されているか否かを確認する確認部と、
前記確認部によってテレビ放送で放送されていないことが確認されたＣＦの動画像に対応するアドレス及び画像特徴量を前記記憶部から削除する削除部と、
を更に含む付記４記載の情報抽出装置。
【００８４】
（付記６）
前記収集部は、収集したウェブページ群の少なくともアドレス及び画像特徴量と対応付けて前記記憶部に日時を記憶させ、
前記確認部は、前記記憶部に対応付けて記憶されているアドレス及び画像特徴量のうち、所定期間以上古い日時と対応付けて記憶されているアドレス及び画像特徴量に対応するＣＦの動画像がテレビ放送で放送されているか否かを確認し、前記ＣＦの動画像がテレビ放送で放送されていることを確認した場合は、前記ＣＦの動画像に対応するアドレス及び画像特徴量と対応付けて前記記憶部に記憶されている日時を現在の日時へ更新する(図６:134)付記５記載の情報抽出装置。
【００８５】
（付記７）
所定のキーワードを含むウェブページを検索し、検索で抽出された所定のキーワードを含むウェブページ及び当該ウェブページに関連する関連ウェブページについて、少なくともアドレスと前記ウェブページ及び前記関連ウェブページに含まれる動画像の画像特徴量を収集し、収集したウェブページ群の少なくともアドレスと画像特徴量とを対応付けて記憶部に記憶させ、
放送された動画像のうち、表示されたアドレスを認識対象とする動画像が指定され、指定された動画像から画像特徴量が抽出されると、指定された動画像から抽出された画像特徴量を前記記憶部に記憶されている画像特徴量と照合し、指定された動画像から抽出された画像特徴量と類似している画像特徴量と対応付けて前記記憶部に記憶されているアドレスを、認識対象のアドレスとして認識する
ことを含む情報抽出方法。
【００８６】
（付記８）
前記関連ウェブページとして、前記所定のキーワードを含むウェブページへのリンクを含む親ウェブページ、及び、前記所定のキーワードを含むウェブページに含まれるリンクのリンク先である子ウェブページの少なくとも一方について、アドレス及び画像特徴量を収集する付記７記載の情報抽出方法。
【００８７】
（付記９）
放送された動画像のうち、表示されたアドレスを認識対象とする、指定された動画像を抽出し、抽出した動画像から前記画像特徴量を抽出し、前記認識したアドレスのウェブページにアクセスし、アクセスしたウェブページを表示部に表示させる付記７又は付記８記載の情報抽出方法。
【００８８】
（付記１０）
放送された動画像はテレビ放送の動画像であり、表示されたアドレスを認識対象とする動画像は、前記テレビ放送に含まれるＣＦの動画像である付記７〜付記９の何れか１項記載の情報抽出方法。
【００８９】
（付記１１）
前記記憶部に対応付けて記憶されているアドレス及び画像特徴量に対応するＣＦの動画像がテレビ放送で放送されているか否かを確認し、テレビ放送で放送されていないことを確認したＣＦの動画像に対応するアドレス及び画像特徴量を前記記憶部から削除する付記１０記載の情報抽出方法。
【００９０】
（付記１２）
前記収集したウェブページ群の少なくともアドレス及び画像特徴量と対応付けて前記記憶部に日時を記憶させ、前記記憶部に対応付けて記憶されているアドレス及び画像特徴量のうち、所定期間以上古い日時と対応付けて記憶されているアドレス及び画像特徴量に対応するＣＦの動画像がテレビ放送で放送されているか否かを確認し、前記ＣＦの動画像がテレビ放送で放送されていることを確認した場合は、前記ＣＦの動画像に対応するアドレス及び画像特徴量と対応付けて前記記憶部に記憶されている日時を現在の日時へ更新する付記１１記載の情報抽出方法。
【００９１】
（付記１３）
コンピュータに、
所定のキーワードを含むウェブページを検索し、検索で抽出された所定のキーワードを含むウェブページ及び当該ウェブページに関連する関連ウェブページについて、少なくともアドレスと前記ウェブページ及び前記関連ウェブページに含まれる動画像の画像特徴量を収集し、収集したウェブページ群の少なくともアドレスと画像特徴量とを対応付けて記憶部に記憶させ、
放送された動画像のうち、表示されたアドレスを認識対象とする動画像が指定され、指定された動画像から画像特徴量が抽出されると、指定された動画像から抽出された画像特徴量を前記記憶部に記憶されている画像特徴量と照合し、指定された動画像から抽出された画像特徴量と類似している画像特徴量と対応付けて前記記憶部に記憶されているアドレスを、認識対象のアドレスとして認識する
ことを含む処理を行わせるための情報抽出プログラム。
【００９２】
（付記１４）
前記関連ウェブページとして、前記所定のキーワードを含むウェブページへのリンクを含む親ウェブページ、及び、前記所定のキーワードを含むウェブページに含まれるリンクのリンク先である子ウェブページの少なくとも一方について、アドレス及び画像特徴量を収集する付記１３記載の情報抽出プログラム。
【００９３】
（付記１５）
放送された動画像のうち、表示されたアドレスを認識対象とする、指定された動画像を抽出し、抽出した動画像から前記画像特徴量を抽出し、前記認識したアドレスのウェブページにアクセスし、アクセスしたウェブページを表示部に表示させる付記１３又は付記１４記載の情報抽出プログラム。
【００９４】
（付記１６）
放送された動画像はテレビ放送の動画像であり、表示されたアドレスを認識対象とする動画像は、前記テレビ放送に含まれるＣＦの動画像である付記１３〜付記１５の何れか１項記載の情報抽出プログラム。
【００９５】
（付記１７）
前記記憶部に対応付けて記憶されているアドレス及び画像特徴量に対応するＣＦの動画像がテレビ放送で放送されているか否かを確認し、テレビ放送で放送されていないことを確認したＣＦの動画像に対応するアドレス及び画像特徴量を前記記憶部から削除する付記１６記載の情報抽出プログラム。
【００９６】
（付記１８）
前記収集したウェブページ群の少なくともアドレス及び画像特徴量と対応付けて前記記憶部に日時を記憶させ、前記記憶部に対応付けて記憶されているアドレス及び画像特徴量のうち、所定期間以上古い日時と対応付けて記憶されているアドレス及び画像特徴量に対応するＣＦの動画像がテレビ放送で放送されているか否かを確認し、前記ＣＦの動画像がテレビ放送で放送されていることを確認した場合は、前記ＣＦの動画像に対応するアドレス及び画像特徴量と対応付けて前記記憶部に記憶されている日時を現在の日時へ更新する付記１７記載の情報抽出プログラム。
【符号の説明】
【００９７】
１０  情報抽出装置
１２  情報収集部
１４  確認部
１６  削除部
１８,３６,１８８  記憶部
２０  動画像抽出部
２２  特徴量抽出部
２４  認識部
２６  ページ表示部
３０,１７２  テレビ装置
３２,１７６  ＣＰＵ
３４,１７８  メモリ
３８  ディスプレイ
４０,１８０  チューナー
４２  リモコン受信部
４４,１８４  ネットワーク制御部
４７,１８２  アンテナ
４８  リモコン
４９  インターネット
５０,５０Ａ  抽出プログラム
６６  ＵＲＬ辞書
１７０  情報抽出システム
１７４  サーバ
【図１】
2014074992.tif 000004
【図２】
2014074992.tif 000005
【図３】
2014074992.tif 000006
【図４】
2014074992.tif 000007
【図６】
2014074992.tif 000008
【図７】
2014074992.tif 000009
【図８】
2014074992.tif 000010
【図９】
2014074992.tif 000011
【図５】
2014074992.tif 000012